(57)【要約】      （修正有）【課題】隣接する冷却機システムの間に空間を形成し、空気の流れを促進し、かつ／または隣接する冷却機システムの間の空間から冷却機システムの構成要素へのアクセスが容易なモジュラ冷却機システムを提供する。【解決手段】モジュラ冷却機のハウジング１００は、  圧縮機および蒸発器を収容する下側ハウジング・コンパートメント１１０と、コイルを収容するコイル支持アーム１２１ａ、ｂを有し、下側ハウジング・コンパートメントの上に位置決めされる上側ハウジング・コンパートメント１２０とを備え、Ｙ字形の端面投影を有し、下側ハウジングの端面図がＹ字の幹を形成し、コイル支持アームの端面図がＹ字の２本の枝を形成し、下側ハウジング・コンパートメントの下端幅ｗ１が上側ハウジングの上端幅ｗ４より小さい。【選択図】図１Ａ
0003200251.tif 000002
【実用新案登録請求の範囲】
【請求項１】
モジュラ冷却機のハウジングであって、
前記モジュラ冷却機の圧縮機および蒸発器を収容するべく構成された下側ハウジング・コンパートメントであって、下端幅を有する下側ハウジング・コンパートメントと、
前記モジュラ冷却機のコイルを収容するべく構成されたコイル支持アームを有し、前記下側ハウジング・コンパートメントの上に位置決めされる上側ハウジング・コンパートメントであって、上端幅を有する上側ハウジング・コンパートメントとを備え、
前記ハウジングはＹ字形の端面投影を有し、前記下側ハウジングの端面図が前記Ｙ字形の端面投影の幹を形成し、前記コイル支持アームの端面図が前記Ｙ字形の端面投影の２本の枝を形成し、前記下側ハウジング・コンパートメントの前記下端幅が前記上側ハウジングの上端幅より小さい、
モジュラ冷却機のハウジング。
【請求項２】
前記下側ハウジング・コンパートメントは概ね矩形の形状の端面投影を有する、請求項１に記載のハウジング。
【請求項３】
前記下側ハウジング・コンパートメントは側面パネルを有し、前記側面パネルはパイプを収容するべく構成された孔を有し、前記孔の中心が前記下側ハウジング・コンパートメントの高さの概ね中点に位置決めされる、請求項１に記載のハウジング。
【請求項４】
さらに、前記上側ハウジング・コンパートメントに取り付けられた複数の吊り下げ環を備える、請求項１に記載のハウジング。
【請求項５】
さらに、前記下側ハウジング・コンパートメントに取り付けられた複数のレールを備え、前記レールは前記ハウジングを支持するべく構成される、請求項１に記載のハウジング。
【請求項６】
前記上側ハウジング・コンパートメントは上面および底面を有し、前記Ｙ字形の端面プロファイルの前記コイル支持アームは前記底面から前記上面に向かって分岐し、前記２つのコイル支持アームは前記上側ハウジング・コンパートメントの前記底面において離される、請求項１に記載のハウジング。
【請求項７】
前記上側ハウジング・コンパートメントの上面は、少なくとも１つのファンを収容するべく構成されたパネルを有する、請求項６に記載のハウジング。
【請求項８】
前記下側ハウジング・コンパートメントは、前記蒸発器および前記圧縮機を垂直アレンジメントで収容するべく構成される、請求項１に記載のハウジング。
【請求項９】
前記垂直アレンジメントにおいて前記圧縮機が前記蒸発器の上方に位置決めされる、請求項８に記載のハウジング。
【請求項１０】
前記ハウジングのうちの２つの前記上側ハウジング・コンパートメントの前記上端が互いに隣り合わせで位置決めされるとき、前記２つのハウジングの前記下側ハウジング・コンパートメントが前記２つのハウジングの間に空間を形成し、それにより２つのハウジングの間の前記空間から前記下側ハウジング・コンパートメントの内部空間へのアクセスが可能になる、請求項３に記載のハウジング。
【請求項１１】
モジュラ冷却機システムであって、
蒸発器と、
第１の圧縮機と、
前記第１の圧縮機および前記蒸発器を収容するべく構成されたコンパートメントとを備え、
前記第１の圧縮機および前記蒸発器が、前記コンパートメント内において垂直アレンジメントで位置決めされる、
モジュラ冷却機システム。
【請求項１２】
前記垂直アレンジメントにおいては前記圧縮機の底面が前記蒸発器の上方に位置決めされる、請求項１１に記載のモジュラ冷却機システム。
【請求項１３】
前記垂直アレンジメントが前記コンパートメントの２つの側面からの前記圧縮機および前記蒸発器へのアクセスを可能にする、請求項１１に記載のモジュラ冷却機システム。
【請求項１４】
さらに第２の圧縮機を備え、前記第２の圧縮機は、前記コンパートメント内に位置決めされ、かつ前記コンパートメント内において前記蒸発器と垂直アレンジメントで位置決めされる、請求項１１に記載のモジュラ冷却機システム。
【請求項１５】
さらに第１および第２のコイルを備え、前記第１および第２のコイルは、前記コンパートメントの上方に位置決めされる、請求項１４に記載のモジュラ冷却機システム。
【請求項１６】
前記第１および第２のコイルにそれぞれ接続される冷媒ラインが前記コンパートメントの異なる側面から前記コンパートメントにアクセスする、請求項１５に記載のモジュラ冷却機システム。
【請求項１７】
前記コンパートメントは高さを有し、前記蒸発器のためのウオータ・パイプが前記高さの約半分の高さにおいて前記コンパートメントから出る、請求項１１に記載のモジュラ冷却機システム。
【請求項１８】
前記コンパートメントは、前記モジュラ冷却機システムを支持する複数のレールを有する、請求項１１に記載のモジュラ冷却機システム。
【請求項１９】
前記コンパートメントは、概ね矩形の、前記コンパートメントの高さより小さい幅の側面プロファイルを有する、請求項１１に記載のモジュラ冷却機システム。
【考案の詳細な説明】
【技術分野】
【０００１】
この中に開示されている実施態様は、概して冷暖房換気空調（ＨＶＡＣ）システムに関する。より詳細には、この中に開示されている実施態様は、モジュラ冷却機システムに関する。
【背景技術】
【０００２】
ＨＶＡＣシステムは、通常、建物の内部空間の温度の調整に使用される。多様なＨＶＡＣシステムが開発されてきた。内部空間のサイズに応じて、ＨＶＡＣシステムは、異なる容量、すなわち負荷を有するべく構成できる。ＨＶＡＣシステムの１つの例はモジュラ冷却機システムであり、これは、単独で、またはほかのモジュールとともに据え付け可能な概ね独立式の空調ユニットである。複数のモジュラ冷却機システムを結合できることが、結合された冷却機システムの容量をユーザが増減することを可能にし得る。
【考案の概要】
【課題を解決するための手段】
【０００３】
モジュラ冷却機システムの実施態様が記述されている。いくつかの実施態様においては、モジュラ冷却機システムのハウジングが、下側ハウジング・コンパートメント（『Ｙ』字形プロファイルの幹部分）および分岐する枝をなす上側ハウジング・コンパートメントを伴った概ね『Ｙ』字形の端面プロファイルを有し得る。いくつかの実施態様においては、モジュラ冷却機システムの構成要素が、下側ハウジング・コンパートメント内において垂直にアレンジされ、それがモジュラ冷却機システムの複数の側面からの下側ハウジング・コンパートメント内の構成要素へのアクセスを容易にし得る。『Ｙ』字形の端面プロファイルを伴う複数のモジュラ冷却機システムを直列に据え付けた場合に、隣接するモジュラ冷却機システムが空間を形成し、それが、隣接するモジュラ冷却機システムの間における空気流を促進し、かつ／またはモジュラ冷却機システムの構成要素へのアクセスを可能にできる。下側ハウジング・コンパートメント内の構成要素の垂直アレンジメントは、隣接するモジュラ冷却機システムの間の空間から下側ハウジング・コンパートメント内の構成要素へのアクセスを可能にする。
【０００４】
いくつかの実施態様においては、ハウジングの概ね矩形の形状を有する下側ハウジング・コンパートメントによって『Ｙ』字形端面プロファイルの幹部分が定義され得る。いくつかの実施態様においては、上側ハウジング・コンパートメントを、互いに対して斜めに位置決めされる２つのコイルを支持するべく構成できる。
【０００５】
いくつかの実施態様においては、圧縮機（および／またはそのほかの、受け器、分離器等の構成要素）を下側ハウジング・コンパートメント内において蒸発器（すなわち、熱交換器）の上方に、垂直アレンジメントで位置決めできる。
【０００６】
いくつかの実施態様においては、下側ハウジング・コンパートメントを、下側ハウジング・コンパートメントの長さによって定義される長さ方向に沿って２つの部分を有するべく構成でき、それらのそれぞれが、圧縮機、受け器、および／または分離器等の構成要素を有する。一方の部分内の構成要素の構成は、他方の部分内の構成要素の構成に対して概ね回転対称になる。垂直および／または長さ方向の構成は、下側ハウジング・コンパートメントの一方の部分内において使用されるべく構成された冷却機システムの構成要素と下側ハウジング・コンパートメントの他方の部分内において使用されるべく構成された構成要素を交換可能にし得る。さらに、いくつかの実施態様においては、上側コンパートメント内に据えられる２つのコイルの構成もまた回転対称とし得る。したがって、上側コンパートメント内に据えられる２つのコイルも相互交換可能とし得る。
【０００７】
いくつかの実施態様においては、下側ハウジング・コンパートメントが孔付きのパネルを有するべく構成され得る。孔の中心は、下側ハウジング・コンパートメントの高さの約半分となるべく構成できる。
【図面の簡単な説明】
【０００８】
【図１Ａ】モジュラ冷却機システムのハウジングを図解しており、図１Ａは端面図である。
【図１Ｂ】モジュラ冷却機システムのハウジングを図解しており、図１Ｂは側面図である。
【図１Ｃ】モジュラ冷却機システムのハウジングを図解しており、図１Ｃは上面図である。
【図２Ａ】モジュラ冷却機システムの内側の概略図であり、図２Ａは端面図である。
【図２Ｂ】モジュラ冷却機システムの内側の概略図であり、図２Ｂは上面図である。
【図２Ｃ】モジュラ冷却機システムの内側の概略図であり、図２Ｃは側面図である。
【図３】複数の直列に接続されたモジュラ冷却機システムを伴う実施態様を図解した全体図である。
【図４】横並びで位置決めされ、直列に接続された２つのモジュラ冷却機システムを図解した側面図である。
【考案を実施するための形態】
【０００９】
モジュラ冷却機システムは、概ね独立式の空調システムである。モジュラ冷却機システムは、単独で、または１つまたは複数のモジュラ冷却機システムと結合して据え付け得る。結合するモジュラ冷却機システムの数を変更することによって、結合後のシステムの合計の容量（または、負荷）を変更できる。モジュラ冷却機システムは、概して建物の外側に据え付けられる。複数のモジュラ冷却機システムを横並びで直列に据え付けるとき、隣接するモジュラ冷却機システムの間の空間が限られることがある。空間の制約は、モジュラ冷却機システムのコイルを通る空気流の流れを妨げ、モジュラ冷却機システムに非効率を生じさせ得る。また空間の制約は、２つの隣接システムの間の空間からのモジュラ冷却機システムの構成要素へのアクセスを制限することになり得る。
【００１０】
以下の図解付きの実施態様の説明において、モジュラ冷却機システムの実施態様について述べる。モジュラ冷却機システムのハウジングは、長さ方向の端等から見たときに概ね『Ｙ』字形端面プロファイルを有し得る。『Ｙ』字形プロファイルの幹部分は、概ね矩形の形状を有する下側ハウジング・コンパートメントによって定義され得る。モジュラ冷却機システムのハウジングは、２つのコイルが下側ハウジング・コンパートメントの上面に向かって先細りの形状を形成するように互いに対して斜めに位置決めされる２つのコイルを支持するべく構成された上側ハウジング・コンパートメントも有している。圧縮機（および／または、受け器、分離器等のそのほかの構成要素）および蒸発器（すなわち、熱交換器）は、下側ハウジング・コンパートメント内に位置決めされ、かつ垂直アレンジメントで構成され得る。『Ｙ』字形端面プロファイルを伴う複数のモジュラ冷却機システムを直列に据え付けた場合に、隣接するモジュラ冷却機システムが空間を形成し、それが、隣接するモジュラ冷却機システムの間の空間内における空気流を促進し、かつ／またはモジュラ冷却機システムの構成要素へのアクセスを可能にし得る。構成要素の垂直アレンジメントは、モジュラ冷却機システムの複数の側面からそれらの構成要素にアクセスすることを可能にする。いくつかの実施態様においては、下側ハウジング・コンパートメントが、たとえば、下側ハウジング・コンパートメントの長さによって定義される長さ方向にアレンジされた２つの部分を有するべく構成され、それらのそれぞれが、圧縮機、蒸発器、受け器、および／または分離器等の構成要素を有する。一方の部分内の構成要素の構成は、他方の部分内の構成要素の構成に対して概ね回転対称とし得る。下側ハウジング・コンパートメント内の構成要素の垂直アレンジメントおよび／または長さ方向の構成は、冷却機システム内における回転対称性を可能にし、それにおいては下側ハウジング・コンパートメントの一方の部分内において使用されるべく構成された構成要素と下側ハウジング・コンパートメントの他方の部分内において使用されるべく構成された構成要素を交換可能とし得る。この垂直アレンジメントおよび／または回転対称は、組み立て時の誤りを低減できることから製造および組み立てに柔軟性を与え得る。
【００１１】
次に、本書の一部を形成する添付図面を参照するが、これらの図面は実施態様を実施できる実施態様の例証のために示されている。理解されるものとするが、この中で使用されている用語は、図面ならびに実施態様を説明する目的のためのものであり、この出願の範囲を限定すると見なされるべきでない。さらに、説明の中で述べられている寸法が例示であることも理解されるものとする。
【００１２】
図１Ａ‐１Ｃは、モジュラ冷却機システムのハウジング１００の実施態様を図解している。図１Ａはハウジング１００の端面図である。ハウジング１００は、概ね『Ｙ』字形端面プロファイルを有する。『Ｙ』字形端面プロファイルの幹は、ハウジング１００の下側ハウジング・コンパートメント１１０によって概ね定義される。『Ｙ』字形端面プロファイルの２本の枝は、上側ハウジング・コンパートメント１２０によって概ね定義される。
【００１３】
下側ハウジング・コンパートメント１１０には下側ハウジング・コンパートメント端面パネル１１２が着脱可能に取り付けられ、下側ハウジング・コンパートメント１１０の内部空間（たとえば、図２Ａに示されている）をカバーする。注意されるものとするが、図１Ａに示されている端面の反対側の下側ハウジング・コンパートメントの端面には、下側ハウジング・コンパートメント端面パネル１１２と類似の別の端面パネルを取り付けられ得る。
【００１４】
下側ハウジング・コンパートメント１１０の各側面１１５ａまたは１１５ｂは、それぞれ出口孔（後述の図１Ｂに示されている１１７ｃおよび／または１１７ｄ）を有する。これらの出口孔は、下側ハウジング・コンパートメントの内部空間から側面１１５ａおよび１１５ｂを通ってパイプ１３０が延びることを可能にするべく構成される。下側ハウジング・コンパートメント１１０は、高さｈ１を有する。パイプ１３０は、高さｈ２を有する中心軸Ｃを有する。高さｈ２は、高さｈ１のほぼ半分である。１つの実施態様においては、ｈ１が約１１６０ｃｍであり、ｈ２が約５８０ｃｍである。
【００１５】
図１Ａに示されているとおり、実施態様の下側ハウジング・コンパートメント１１０は、概ね矩形の形状を有し、かつ幅ｗ１を有する。幅ｗ１は、概して高さｈ１より小さい。１つの実施態様においては、幅ｗ１が約４１０ｃｍである。下側ハウジング・コンパートメントの側面１１５ａおよび１１５ｂは、レール（または、足）１１９も備える。図１Ａに示されている端面図においては、レール１１９が、側面１１５ａおよび１１５ｂにそれぞれ取り付けられて示されている。以下の説明から明らかになるとおり、図１Ａに示されている端面の反対側の端面の近くの位置において別の２本のレール１１９が側面１１５ａおよび１１５ｂに取り付けられている。レール１１９は、モジュラ冷却機システムが据え付けられるときにハウジング１００またはモジュラ冷却機システムを支持し、安定させるべく構成される。レール１１９は、幅ｗ２のフットプリントを有する。１つの実施態様においては、幅ｗ２が約９５０ｃｍである。
【００１６】
上側ハウジング・コンパートメント１２０は、コイル支持アーム１２１ａおよび１２１ｂを有する。コイル支持アーム１２１ａおよび１２１ｂは、モジュラ冷却機システムのコイル（１つまたは複数）を受け入れ、支持するべく構成される。コイル支持アーム１２１ａおよび１２１ｂは、『Ｙ』字形端面プロファイルの２本の枝を概ね定義する。コイル支持アーム１２１ａおよび１２１ｂは、上側ハウジング・コンパートメント１２０の底面１２２において幅ｗ３だけ離されている。幅ｗ３は、幅ｗ１と概ね同じであるとし得る。コイル支持アーム１２１ａおよび１２１ｂは、上側ハウジング・コンパートメント１２０の底面１２２から上面パネル１２３へ向かって分岐している（すなわち、外向きに別れる方向に傾いている）。上面パネル１２３は、幅ｗ３より大きい上端幅ｗ４を有し、したがってコイル支持アーム１２１ａおよび１２１ｂは、下側ハウジング・コンパートメント１１０の上面へ向かって窄まり、上面パネル１２３へ向かって広がる傾き付きの形状を形成する。１つの実施態様においては、上端幅ｗ４が約１０００ｃｍである。
【００１７】
図示された実施態様においては、下側ハウジング・コンパートメント１１０が概ね矩形の形状の長さ方向の端面投影を有する。これは一例である。認識されるものとするが、いくつかの実施態様においては、下側ハウジング・コンパートメントが概ね矩形の形状を有していないことがある。たとえば、下側ハウジング・コンパートメントは、上側コンパートメントへ向かって先細りとなる形状を有し得る。その種の構成においては、下側ハウジング・コンパートメントが下端幅と上端幅を有し、下端幅が上端幅より小さくてもよい。それに加えて、下側ハウジング・コンパートメントの下端幅は、上側ハウジング・コンパートメントの上端幅（たとえば、図１Ｂに示されている上端幅ｗ４）より小さくてもよい。概して言えば、下側ハウジング・コンパートメントは、上側ハウジング・コンパートメントの上面パネルの幅（たとえば、図１Ｂに示されている上端幅ｗ４）より小さい下側ハウジング・コンパートメントの下端幅を有し得る。
【００１８】
分岐しているコイル支持アーム１２１ａおよび１２１ｂは、それぞれ下側ハウジング・コンパートメント１１０の側面１１５ａおよび１１５ｂに関してそれぞれの角度α１およびα２を形成し得る。これらの角度α１およびα２は、たとえば約９０度から１８０度までの範囲内とすることが可能であり、いくつかの実施態様においては、好ましくはそれが１３５度から１７０度までの範囲内である。１つの実施態様においては、角度α１およびα２が約１５９度である。図１Ａに示されている端面図から上側コンパートメント端面パネル１２４が観察されるが、これは、上側ハウジング・コンパートメント１２０に着脱可能に取り付けられて上側ハウジング・コンパートメント１２０の内部空間をカバーする。類似する上側コンパートメント・パネルを上側ハウジング・コンパートメント１２０の反対側（図示せず）に取り付けられ得る。
【００１９】
また、下側ハウジング・コンパートメント１１０および上側ハウジング・コンパートメント１２０の両方を含めたハウジング１００は、高さｈ３を有する。１つの実施態様においては、高さｈ３が約１９８７ｃｍである。
【００２０】
図１Ｂを参照すると、モジュラ冷却機システムのハウジング１００の側面図が示されている。上段コンパートメント１２０は、コイル（たとえば、後述の図２Ａに示されているコイル２２７ａおよび／またはコイル２２７ｂ）を受け入れ、支持するべく構成されたコイル支持アーム１２１ｃおよび１２１ｄを有する。コイル支持アーム１２１ｃおよび１２１ｄは、据え付け時にコイルの両側を支持する一方、コイル支持アーム１２１ｃと１２１ｄの間のコイルを通る空気流の流れを可能にするべく構成される。図１Ｂのコイル支持アーム１２１ｃおよび１２１ｄは、図１Ａのコイル支持アーム１２１ａおよび１２１ｂのいずれかに対応できる。
【００２１】
上側ハウジング・コンパートメント１２０は、また、１つまたは複数の吊り下げ環１３２ｃおよび１３２ｄも備えている。いくつかの実施態様においては、上側ハウジング・コンパートメント１２０が４つの吊り下げ環を装備できる。これらの吊り下げ環は、索を受け入れ、かつ吊り下げ環に縛り付けられた索によってモジュラ冷却機システムが吊り下げられるとき、モジュラ冷却機システムの重さに耐えるべく構成できる。
【００２２】
下側ハウジング・コンパートメント１１０は、側面パネル１３３ｃおよび１３３ｄをはじめ、ドア１３５ｃおよび１３５ｄを有するべく構成される。側面パネル１３３ｃおよび１３３ｄは、孔１１７ｃおよび１１７ｄをそれぞれ有するべく構成される。図１Ｂに図解されているとおり、これらの出口孔１１７ｃおよび１１７ｄをそれぞれ通って下側ハウジング・コンパートメント１１０の内部空間からパイプ１３０が延びている。パイプ１３０は、それぞれ中心軸Ｃ１およびＣ２を有する。中心軸Ｃ１およびＣ２は、ともに概ね高さｈ２であり、これは下側ハウジング・コンパートメント１１０の高さｈ１の約半分である。パイプ１３０が下側ハウジング・コンパートメント１１０の高さｈ１の概ね中点において下側ハウジング・コンパートメント１１０から出ていることから、いくつかの実施態様においては、側面パネル１３３ｃおよび１３３ｄを互いに略同一に構成できる。言い換えると、同一の側面パネルが、図１Ｂに示されている向きにおいて、ハウジング１００の左側のパネル１３３ｃとして、またはハウジング１００の右側の右パネル１３３ｄとしてのいずれにも使用できる。
【００２３】
また下側ハウジング・コンパートメント１１０は、下側ハウジング・コンパートメント１１０の内部空間をカバーするドア１３５ｃおよび１３５ｄも有する。側面パネル１３３ｃおよび１３３ｄと同様に、いくつかの実施態様においては、ドア１３５ｃおよび１３５ｄも互いに略同一に構成できる。略同一の側面パネル１３３ｃおよび１３３ｄおよび／またはドア１３５ｃおよび１３５ｄを使用することによって、下側ハウジング・コンパートメント１１０の左または右側面に当て嵌める２つの異なる側面パネルおよび／またはドアを作成する必要性を排除できる。結局のところこの構成は、ハウジング１００の製造に要する時間および費用を節約し、製造プロセスにおける誤りを低減できる。
【００２４】
図１Ｂに図解されている側面図から、下側ハウジング・コンパートメント１１０がレール１１９を有することが観察できる。レール１１９は、図１Ｂに示されている向きにおいて下側ハウジング・コンパートメント１１０の左端および右端に近い場所でそれぞれ下側ハウジング・コンパートメント１１０に取り付けられている。これらのレールは、下側ハウジング・コンパートメント１１０に取り付けることも可能である。
【００２５】
図１Ｂに示されているとおり、ハウジング１００は長さｌ１を有する。１つの実施態様においては長さｌ１が約２１５０ｃｍである。
【００２６】
注意を要するが、図１Ｂは、ハウジング１００の１つの側面だけを図解している。図１Ｂに示されている側面とは反対側の側面もまた、図１Ｂに示されているとおりの構成と類似の構成を有し得ることは認識されるものとする。
【００２７】
ハウジング１００の上面図が図１Ｃに図解されている。上面パネル１２３は、ファンを受け入れるべく構成される１つまたは複数の開口１３６を有するべく構成される。図解されている実施態様には２つの開口１３６がある。しかしながら、上面パネルが任意数の開口を有するべく構成可能であることは認識されるものとする。いくつかの実施態様においては、開口の数を１とすることが可能であり、いくつかの実施態様においては、上面パネルが２を超える数の開口を有し得る。
【００２８】
図２Ａ‐２Ｃは、『Ｙ』字形のハウジング２００を伴うモジュラ冷却機システム２６０の実施態様を図解している。端面パネルのうちのいくつかは、より明確な図解のために取り除かれている。図２Ａは、モジュラ冷却機システム２６０の端面図である。図２Ａにおいては、排出ライン、吸引ライン等を含むモジュラ冷却機システム２６０のいくつかの接続冷媒ラインが、より明確な図解のために省略されている。
【００２９】
図解されているとおり、下側ハウジング・コンパートメント２１０は、圧縮機２６２、蒸発器２６４、受け器２６６、および分離器２６８を収容するべく構成される。図解されている実施態様においては、蒸発器２６４がシェル・アンド・チューブ型蒸発器である。以下の説明から明らかになろうが、図２Ａ‐２Ｃに図解された実施態様は、２つの圧縮機（図２Ｂおよび２Ｃの２６２ａおよび２６２ｂ）、２つの受け器（図２Ｂおよび２Ｃの２６６ａおよび２６６ｂ）、および２つの分離器（図２Ｂおよび２Ｃの２６８ａおよび２６８ｂ）を有するべく構成される。図２Ａに示されている圧縮機２６２、受け器２６６、および分離器２６８は、これら２つの圧縮機２６２ａおよび２６２ｂ、受け器２６６ａおよび２６６ｂ、および分離器２６８ａおよび２６８ｂのいずれかにそれぞれ対応できる。
【００３０】
圧縮機２６２、蒸発器２６４、受け器２６６、および分離器２６８は、垂直にアレンジされる。図２Ａに図解されているとおり、垂直アレンジメントにおいては、圧縮機２６２、受け器２６６、および分離器２６８が、蒸発器２６４の概ね上方に位置決めされる。下側ハウジング・コンパートメント２１０は、さらに仕切り２７０によって上方部分２１０Ｔと下方部分２１０Ｂに分割される。圧縮機２６２、受け器２６６、および分離器２６８は、概して上方部分２１０Ｔ内に位置決めされ、蒸発器２６４は概して下方部分２１０Ｂ内に位置決めされる。
【００３１】
上側ハウジング・コンパートメント２２０は、図２Ａに示されている傾斜位置で凝縮機コイル等のコイル２２７ａおよび２２７ｂをそれぞれ支持するべく構成された２つのコイル支持アーム２２１ａおよび２２１ｂを有する。また上側ハウジング・コンパートメント２２０は、ファン２７４を受け入れるべく構成された上面パネル２２３も有する。ファン２７４は、動作時にコイル２２７ａおよび２２７ｂを通る空気流を促進するべく構成される。コイル２２７ａおよび２２７ｂは、それぞれ分配器２７６ａおよび２７６ｂに接続されている。
【００３２】
図２Ａはモジュラ冷却機２６０の一方の端面を示しており、コイル２２７ａが、概ね図２Ａに示された端の位置において分配器２７６ａに接続されている。コイル２２７ｂおよび分配器２７６ｂは、図２Ａに示された端とは反対側の概ね端の位置において接続されている。コイル２２７ａおよび分配器２７６ａの構成は、コイル２２７ｂおよび分配器２７６ｂの構成に対して概ね回転対称である。言い換えると上側ハウジング・コンパートメント２２０内におけるコイル２２７ａおよび分配器２７６ａの構成は、コイル２２７ａおよび分配器２７６ａの構成を垂直中心軸Ａに関して約１８０度回転したとき、上側ハウジング・コンパートメント２２０内におけるコイル２２７ｂおよび分配器２７６ｂの構成と概ね同じになる。それに加えて、分配器２７６ａおよび２７６ｂは、対向する側面から下側ハウジング・コンパートメント２１０にアクセスする。
【００３３】
図２Ｂは、モジュラ冷却機システム２６０の下側ハウジング・コンパートメント２１０の上面図である。パネル、コイル、および接続冷媒ライン等のうちのいくつかは、簡明のために取り除かれている。図解されているとおり、モジュラ冷却機システム２６０は、下側ハウジング・コンパートメント２１０の長さＬによって定義される長さ方向に沿って下側ハウジング・コンパートメント２１０内に位置決めされる２つの圧縮機２６２ａおよび２６２ｂ、２つの受け器２６６ａおよび２６６ｂ、および２つの分離器２６８ａおよび２６８ｂを有する。中央線ｍは、下側ハウジング・コンパートメント２１０を長さ方向に沿って２つの部分２１０Ｌおよび２１０Ｒに分割できる。部分２１０Ｌには、圧縮機２６２ａ、受け器２６６ａ、および分離器２６８ａが収められる。部分２１０Ｒには、圧縮機２６２ｂ、受け器２６６ｂ、および分離器２６８ｂが収められる。圧縮機２６２ａおよびｂ、受け器２６６ａおよびｂ、および分離器２６８ａおよびｂのアレンジメントは、下側ハウジング・コンパートメント２１０内において概ね回転対称である。言い換えると部分２１０Ｌ内における圧縮機２６２ａ、受け器２６６ａ、および分離器２６８ａのアレンジメントは、圧縮機２６２ａ、受け器２６６ａ、および分離器２６８ａのアレンジメントを垂直中心軸Ａに関して約１８０度回転したとき、部分２１０Ｒ内における圧縮機２６２ｂ、受け器２６６ｂ、および分離器２６８ｂのアレンジメントと類似になる。
【００３４】
図２Ａおよび２Ｂを参照するが、前述したとおり、コイル２２７ａおよび２２７ｂの構成もまた回転対称である。図解されている実施態様においては、圧縮機２６２ａ、受け器２６６ａ、および分離器２６８ａが、圧縮機２６２ｂ、受け器２６６ｂ、および分離器２６８ｂとは別の冷媒回路を形成し得る。コイル２２７ａは、部分２１０Ｌ内に収められた圧縮機２６２ａ、受け器２６６ａ、および分離器２６８ａと結合できる。コイル２２７ｂは、部分２１０Ｒ内に収められた圧縮機２６２ｂ、受け器２６６ｂ、および分離器２６６ｂと結合できる。すべての構成要素が概ね回転対称であることから、部分２１０Ｌ内の構成要素（圧縮機２６２ａ、受け器２６６ａ、および分離器２６８ａ等）を接続するべく構成された冷媒ラインおよびコイル２２７ａと、部分２１０Ｒ内の構成要素を接続するべく構成された冷媒ラインおよびコイル２２７ｂを交換可能にし得る。概して言えば、部分２１０Ｌ内において使用されるべく構成された構成要素は、種々の構成要素を接続する冷媒ラインを含めて部分２１０Ｒ内においても使用可能であり、そのことは両方の部分２１０Ｌおよび２１０Ｒ内の構成要素を相互交換可能にする。これは、モジュラ冷却機システム２６０の組み立てに要する時間および費用を節約するだけでなく、モジュラ冷却機システム２６０の構成要素の組み立てにおける誤りを低減できる。それに加えて、コイル２２７ａおよび２２７ｂもまた相互交換可能とし得る。
【００３５】
図２Ｃは、モジュラ冷却機システム２６０の側面を図解している。パネル、ドア、および接続冷媒ライン等のうちのいくつかは、より明確な図解のために取り除かれている。下側ハウジング・コンパートメント２１０内には、圧縮機２６２ａおよびｂ、受け器２６６ａおよびｂ、および分離器２６８ａおよびｂが蒸発器２６４の概ね上方に位置決めされている。下側ハウジング・コンパートメント２１０内における構成要素のこの垂直アレンジメントは、殆どすべての構成要素に対するモジュラ冷却機システム２６０の側面からの（または、いくつかの側面からの）アクセスを概ね容易にする。
【００３６】
図２Ｂに戻るが、さらに図２Ｂの矢印Ｓ１およびＳ２によって示されるとおり、下側ハウジング・コンパートメント２１０内における構成要素の垂直かつ回転対称のアレンジメントは、矢印Ｓ１およびＳ２が指す２つの側面の一方または両方から殆どすべての角度で下側ハウジング・コンパートメント２１０内の構成要素にアクセスすることを可能にする。たとえば、部分２１０Ｌ内の受け器２６６ａおよび部分２１０Ｒ内の分離器２６８ｂの少なくとも一部は、矢印Ｓ１からより容易にアクセス可能であり、部分２１０Ｌ内の分離器２６８ａおよび部分２１０Ｒ内の受け器２６６ｂの少なくとも一部は、矢印Ｓ２からより容易にアクセス可能である。圧縮機２６２ａおよび２６２ｂの種々の部分は、矢印Ｓ１および／または矢印Ｓ２からアクセスできる。概して言えば、部分２１０Ｌおよび部分２１０Ｒ両方の中にある構成要素は、矢印Ｓ１およびＳ２によって図解される２つの側面の少なくとも一方から比較的容易にアクセスできる。
【００３７】
それに加えて、下側ハウジング・コンパートメント２１０内において構成要素（圧縮機２６２ａおよびｂ、受け器２６６ａおよびｂ、および分離器２６８ａおよびｂ等）の概ね下方に蒸発器２６４が位置決めされることから、矢印Ｓ１およびＳ２によって示される２つの側面から下側ハウジング・コンパートメント２１０内の構成要素へのアクセスを蒸発器２６４が制限することが概してない。
【００３８】
図２Ｃに戻るが、部分２１０Ｌおよび部分２１０Ｒ内の構成要素は、２つの独立した冷媒回路を形成する。概して言えば、部分２１０Ｌ内の圧縮機２６２ａ、受け器２６６ａ、および分離器２６８ａは、四方弁２７５ａ、パイプ・アッセンブリ２８２ａ、および分配器２７６ａを通じて上側コンパートメント２２０内のコイル（図示せず）と結合できる。同様に、部分２１０Ｒ内の圧縮機２６２ｂ、受け器２６６ｂ、および分離器２６８ｂは、四方弁２７５ｂ、パイプ・アッセンブリ２８２ｂ、および分配器２７６ｂを通じて上側コンパートメント２２０内のコイル（図示せず）と結合できる。パイプ・アッセンブリ２８２ａおよび分配器２７６ａは、パイプ・アッセンブリ２８２ｂおよび分配器２７６ｂとは反対側の側面の近くに配置できる。
【００３９】
さらに、第１の端部２６５ａまたは第２の端部２６５ｂのいずれからも蒸発器２６４にアクセスできる。部分２１０Ｌ内の構成要素は、第１の端部２６５ａから蒸発器２６４に結合されて冷媒回路を形成し、部分２１０Ｒ内の構成要素は、第２の端部２６５ｂから蒸発器２６４に結合されて別の冷媒回路を形成する。蒸発器２６４は、ウオータ・パイプ２８０ａおよび２８０ｂに接続されるべく構成される。ウオータ・パイプ２８０ａおよび２８０ｂのうちの一方は、蒸発器２６４内に向かって水が流入するべく構成され、他方は、蒸発器２６４から外に向かって水が流出するべく構成される。
【００４０】
注意する必要があるが、図２Ａ‐２Ｃに図解されている構成要素は一例である。モジュラ冷却機システムは、多様な構成を有し得る。いくつかの実施態様においては、モジュラ冷却機システムが１つの圧縮機だけを有することがある。いくつかの実施態様においては、モジュラ冷却機システムが分離器、受け器、および／またはそのほかの構成要素を有していないことがある。いくつかの実施態様においては、モジュラ冷却機システムが、膨張弁、駆動機構、圧力ゲージ等といったそのほかの構成要素を有していることがある。
【００４１】
これもまた認識されるものとするが、下側コンパートメント内における構成要素の回転対称のアレンジメントは一例である。いくつかの実施態様においては、下側コンパートメント内の２つの部分内における構成要素のアレンジメントが概ね鏡像の関係となり、その結果、下側コンパートメントの２つの異なる長さ方向の部分内の構成要素の類似する部品がモジュラ冷却機システムの１つの側面からアクセス可能になる。
【００４２】
図３を参照するが、運用時に複数のモジュラ冷却機システム３６０を直列に接続できる。各モジュラ冷却機システム３６０の、蒸発器内（図示せず）に向けて水を流入させるべく構成されたウオータ・パイプ３８０は、互いに直列に接続できる。同様に、蒸発器から水を流出させるべく構成されたウオータ・パイプ３８０も互いに直列に接続できる。ウオータ・パイプ３８０を互いに直列に接続することによって、複数のモジュラ冷却機システム３６０が、建物の空間の温度を調整する１つの冷却機ユニットとして働き得る。
【００４３】
図４は、互いに隣り合わせで位置決めされる２つの『Ｙ』字形のモジュラ冷却機システム４６０ａおよび４６０ｂを伴う実施態様を図解している。モジュラ冷却機システム４６０ａのウオータ・パイプ４８０ａとモジュラ冷却機システム４６０ｂのウオータ・パイプ４８０ｂが可撓管４９０によって直列に接続される。
【００４４】
図解されているとおり、上側ハウジング・コンパートメント４２０ａまたは４２０ｂの上面の幅（たとえば図１Ａのｗ４）は、モジュラ冷却機システム４６０ａまたは４６０ｂの一方のレール４１９の幅（すなわち図１Ａのｗ２）より大きい。モジュラ冷却機システム４６０ａおよび４６０ｂが横並びに位置決めされる場合には、エリアＢにおいて上側ハウジング・コンパートメント４２０ａの上面が上側ハウジング・コンパートメント４２０ｂの上面の近くに位置決めされ、エリアＢ内の２つのモジュラ冷却機システム４６０ａおよび４６０ｂの間のギャップが最小になる。
【００４５】
図４に図解されているとおり、モジュラ冷却機システム４６０ａの１つの側面およびモジュラ冷却機システム４６０ｂの１つの側面が、２つのモジュラ冷却機システム４６０ａおよび４６０ｂの間に空間Ｓを形成する。空間Ｓは、２つのモジュラ冷却機システム４６０ａおよび４６０ｂの間における空気流の移動を可能にする。それに加えて、空間Ｓは、オペレータがモジュラ冷却機システム４６０ａおよび４６０ｂの側面へのアクセスを有するに適した構成とすることが可能であり、その結果、たとえばユーザが、モジュラ冷却機システム４６０ａおよび４６０ｂの内側の構成要素に対してメンテナンス作業を行なうことが可能になる。いくつかの実施態様においては、空間Ｓ内にオペレータが歩いて入れるように空間Ｓを構成できる。矩形形状の下側ハウジング・コンパートメント４１０ａおよび４１０ｂは、比較的小さいフットプリントを有し、それによりユーザは、２つの下側ハウジング・コンパートメント４１０ａおよび４１０ｂの間において比較的良好なアクセスを有することが可能になる。
【００４６】
認識されるものとするが、いくつかの実施態様においては、下側ハウジング・コンパートメントが概ね矩形の形状でないことがある。たとえば、下側ハウジング・コンパートメントは、上側コンパートメントへ向かって先細りとなる形状を有し得る。概して言えば、下側ハウジング・コンパートメントは、上側ハウジング・コンパートメントの上面パネルの幅（たとえば、図１Ｂに示されているｗ４）より小さい下側ハウジング・コンパートメントの幅（たとえば、図１Ａに示されているｗ１）を有し得る。その結果、２つのモジュラ冷却機システムが隣り合わせで位置決めされるとき、隣接するモジュラ冷却機システムの間の空間が、オペレータがその空間にアクセスするか、かつ／またはその空間内に歩いて入るに充分なものとなり得る。
【００４７】
以上の説明に関し、詳細における変更、特に採用される建造材料および形状、サイズ、および部品のアレンジメントの問題における変更が本発明の範囲からの逸脱なしに行なわれ得ることは理解されるものとする。明細書および図示された実施態様が例としてのみ考慮され、本発明の真の範囲ならびに精神は請求項の広い意味によって示されることが意図されている。
【符号の説明】
【００４８】
１００  ハウジング
１１０  下側ハウジング・コンパートメント
１１２  下側ハウジング・コンパートメント端面パネル
１１５ａ  側面
１１５ｂ  側面
１１７ｃ  出口孔
１１７ｄ  出口孔
１１９  レール
１２０  上側ハウジング・コンパートメント
１２１ａ  コイル支持アーム
１２１ｂ  コイル支持アーム
１２１ｃ  コイル支持アーム
１２１ｄ  コイル支持アーム
１２２  底面
１２３  上面パネル
１２４  上側コンパートメント端面パネル
１３０  パイプ
１３２ｃ  吊り下げ環
１３２ｄ  吊り下げ環
１３３ｃ  側面パネル
１３３ｄ  側面パネル
１３５ｃ  ドア
１３５ｄ  ドア
１３６  開口
２００  ハウジング
２１０  下側ハウジング・コンパートメント
２１０Ｂ  下方部分
２１０Ｌ  部分
２１０Ｒ  部分
２１０Ｔ  上方部分
２２０  上側ハウジング・コンパートメント
２２１ａ  コイル支持アーム
２２１ｂ  コイル支持アーム
２２３  上面パネル
２２７ａ  コイル
２２７ｂ  コイル
２６０  モジュラ冷却機システム
２６２  圧縮機
２６２ａ  圧縮機
２６２ｂ  圧縮機
２６４  蒸発器
２６５ａ  第１の端部
２６５ｂ  第２の端部
２６６  受け器
２６６ａ  受け器
２６６ｂ  受け器
２６８  分離器
２６８ａ  分離器
２６８ｂ  分離器
２７０  仕切り
２７４  ファン
２７５ａ  四方弁
２７５ｂ  四方弁
２７６ａ  分配器
２７６ｂ  分配器
２８０ａ  ウオータ・パイプ
２８０ｂ  ウオータ・パイプ
２８２ａ  パイプ・アッセンブリ
２８２ｂ  パイプ・アッセンブリ
３６０  モジュラ冷却機システム
３８０  ウオータ・パイプ
４１０ａ  下側ハウジング・コンパートメント
４１０ｂ  下側ハウジング・コンパートメント
４１９  レール
４２０ａ  上側ハウジング・コンパートメント
４２０ｂ  上側ハウジング・コンパートメント
４６０ａ  モジュラ冷却機システム
４６０ｂ  モジュラ冷却機システム
４８０ａ  ウオータ・パイプ
４８０ｂ  ウオータ・パイプ
４９０  可撓管
【図１Ａ】
0003200251.tif 000003
【図１Ｂ】
0003200251.tif 000004
【図１Ｃ】
0003200251.tif 000005
【図２Ａ】
0003200251.tif 000006
【図２Ｂ】
0003200251.tif 000007
【図２Ｃ】
0003200251.tif 000008
【図３】
0003200251.tif 000009
【図４】
0003200251.tif 000010